(57)【要約】  電気ゲートウェイと電気ゲートウェイの通信方法とが開示される。電気ゲートウェイは、アップリンク通信モジュール、ダウンリンク通信モジュールおよび制御ユニットを含み、アップリンク通信モジュールは、アップリンクネットワーク要素と通信するように構成され、ダウンリンク通信モジュールは、端末装置と通信するように構成され、アップリンク通信モジュールとダウンリンク通信モジュールとを接続する制御ユニットは、アップリンクネットワーク要素によって送信されたダウンリンクデータが端末装置情報の取得であると決定したとき、端末装置情報が電気ゲートウェイに保存されている場合、端末装置情報をアップリンク通信モジュールに伝送し、また、端末装置情報が電気ゲートウェイに保存されていない場合、端末装置情報の取得をダウンリンク通信モジュールに伝送するように構成されている。その結果、データ通信が実現される。
2013538494.tif 000002
【特許請求の範囲】
【請求項１】
アップリンク通信モジュールと、ダウンリンク通信モジュールと、制御ユニットとを備える電気ゲートウェイであって、
前記アップリンク通信モジュールは、アップリンクネットワーク要素と通信するように構成され、
前記ダウンリンク通信モジュールは、端末装置と通信するように構成され、
前記制御ユニットは、前記アップリンク通信モジュールと前記ダウンリンク通信モジュールとを接続し、前記制御ユニットは、前記アップリンクネットワーク要素によって送信されたダウンリンクデータが端末装置情報の取得であると決定されたとき、前記端末装置情報が前記電気ゲートウェイに保存されている場合、前記端末装置情報を前記アップリンク通信モジュールに伝送し、前記端末装置情報が前記電気ゲートウェイに保存されていない場合、前記端末装置情報の取得を前記ダウンリンク通信モジュールに伝送するように構成されている、電気ゲートウェイ。
【請求項２】
前記アップリンク通信モジュールは、前記アップリンクネットワーク要素によって送信された前記ダウンリンクデータを受信し、前記ダウンリンクデータをカプセル化解除し、前記カプセル化解除されたダウンリンクデータを前記制御ユニットに伝送するように構成され、
前記制御ユニットは、前記カプセル化解除されたダウンリンクデータに応じて前記ダウンリンクデータが前記端末装置情報の取得であるかどうかを決定するように構成されている、請求項１に記載の電気ゲートウェイ。
【請求項３】
前記アップリンク通信モジュールは、前記アップリンクネットワーク要素によって送信された前記ダウンリンクデータを受信し、前記ダウンリンクデータを前記制御ユニットに伝送するように構成され、
前記制御ユニットは、前記ダウンリンクデータをカプセル化解除し、前記カプセル化解除されたダウンリンクデータに応じて前記ダウンリンクデータが前記端末装置情報の取得であるかどうかを決定するように構成されている、請求項１に記載の電気ゲートウェイ。
【請求項４】
前記制御ユニットは、前記端末装置情報が前記電気ゲートウェイに保存されている場合、前記端末装置情報を前記アップリンク通信モジュールに伝送するように構成され、
前記制御ユニットは、前記端末装置情報が前記電気ゲートウェイに保存されている場合、前記端末装置情報をカプセル化し、前記アップリンク通信モジュールに伝送するように構成されているか、または、
前記制御ユニットは、前記端末装置情報が前記電気ゲートウェイに保存されている場合、前記端末装置情報を前記アップリンク通信モジュールに伝送するように構成され、前記アップリンク通信モジュールによって、前記端末装置情報をカプセル化する、請求項１から３のいずれか１項に記載の電気ゲートウェイ。
【請求項５】
前記制御ユニットは、前記端末装置情報が前記電気ゲートウェイに保存されていない場合、前記端末装置情報の取得を前記ダウンリンク通信モジュールに伝送するように構成され、
前記制御ユニットは、前記端末装置情報が前記電気ゲートウェイに保存されていない場合、前記端末装置情報の取得をカプセル化し、前記ダウンリンク通信モジュールに伝送するように構成されているか、または、
前記制御ユニットは、前記端末装置情報が前記電気ゲートウェイに保存されていない場合、前記端末装置情報の取得を前記ダウン通信モジュールに伝送するように構成され、前記ダウンリンク通信モジュールによって、前記端末装置情報の取得をカプセル化する、請求項１から３のいずれか１項に記載の電気ゲートウェイ。
【請求項６】
前記端末装置は、電気メータであり、前記端末装置情報は、前記電気メータの読みである、請求項１に記載の電気ゲートウェイ。
【請求項７】
前記制御ユニットは、前記ダウンリンクデータが前記端末装置のための制御情報であると決定されたとき、前記ダウンリンク通信モジュールを介して前記制御情報を前記端末装置に送信するようにさらに構成されているか、または、
前記制御ユニットは、前記ダウンリンクデータが前記電気ゲートウェイについてのコンフィギュレーション情報であると決定されたとき、前記コンフィギュレーション情報に応じて前記電気ゲートウェイに関する構成を実行するようにさらに構成されている、請求項１に記載の電気ゲートウェイ。
【請求項８】
前記ダウンリンク通信モジュールは、前記端末装置によって送信されたアップリンクデータを受信するためにさらに構成され、
前記制御ユニットは、前記アップリンクデータをカプセル化解除し、前記カプセル化解除されたアップリンクデータが前記ダウンリンクデータへの応答情報であると決定されたとき、前記応答情報を前記アップリンク通信モジュールに送信するようにさらに構成されている、請求項１または７に記載の電気ゲートウェイ。
【請求項９】
前記ダウンリンク通信モジュールは、前記端末装置によって送信されたアップリンクデータを受信するようにさらに構成され、
前記制御ユニットは、前記アップリンクデータをカプセル化解除し、前記カプセル化解除されたアップリンクデータが前記端末装置によって送信された状態情報またはネットワーキング情報であると決定されたとき、前記状態情報または前記ネットワーキング情報を保存するために記憶モジュールを制御するようにさらに構成されている、請求項１に記載の電気ゲートウェイ。
【請求項１０】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項１から９のいずれか１項に記載の電気ゲートウェイ。
【請求項１１】
アップリンク通信モジュールとダウンリンク通信モジュールとを備え、前記アップリンク通信モジュールが前記ダウンリンク通信モジュールに接続されている電気ゲートウェイであって、
前記ダウンリンク通信モジュールは、端末装置と通信するように構成され、
前記アップリンク通信モジュールは、アップリンクネットワーク要素によって送信されたダウンリンクデータが端末装置情報の取得であると決定されたとき、前記端末装置情報が前記電気ゲートウェイに保存されている場合、前記端末装置情報を送信し、前記端末装置情報が前記電気ゲートウェイに保存されていない場合、前記端末装置情報の取得を前記ダウンリンク通信モジュールに伝送するように構成されている、電気ゲートウェイ。
【請求項１２】
前記アップリンク通信モジュールは、前記アップリンクネットワーク要素によって送信された前記ダウンリンクデータを受信し、前記ダウンリンクデータをカプセル化解除し、前記カプセル化解除されたダウンリンクデータに応じて前記ダウンリンクデータが前記端末装置情報の取得であるかどうかを決定するように構成されている、請求項１１に記載の電気ゲートウェイ。
【請求項１３】
前記アップリンク通信モジュールは、前記端末装置情報が前記電気ゲートウェイに保存されている場合、前記端末装置情報を送信するように構成され、
前記アップリンク通信モジュールは、前記端末装置情報が前記電気ゲートウェイに保存されている場合、前記端末装置情報をカプセル化し、前記端末装置情報を前記アップリンク要素に送信するように構成されている、請求項１１または１２に記載の電気ゲートウェイ。
【請求項１４】
前記アップリンク通信モジュールは、前記端末装置情報が前記電気ゲートウェイに保存されていない場合、前記端末装置情報の取得を前記ダウンリンク通信モジュールに伝送するように構成され、
前記アップリンク通信モジュールは、前記端末装置情報が前記電気ゲートウェイに保存されていない場合、前記端末装置情報の取得をカプセル化し、前記端末装置情報の取得を前記ダウンリンク通信モジュールに伝送するように構成されているか、または、
前記アップリンク通信モジュールは、前記端末装置情報が前記電気ゲートウェイに保存されていない場合、前記端末装置情報の取得を前記ダウンリンク通信モジュールに伝送するように構成され、前記ダウンリンク通信モジュールによって、前記端末装置情報の取得をカプセル化する、請求項１１から１３のいずれか１項に記載の電気ゲートウェイ。
【請求項１５】
前記端末装置は、電気メータであり、前記端末装置情報は、前記電気メータの読みである、請求項１１から１４のいずれか１項に記載の電気ゲートウェイ。
【請求項１６】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項１１から１５のいずれか１項に記載の電気ゲートウェイ。
【請求項１７】
アップリンク通信モジュールとダウンリンク通信モジュールとを備え、前記アップリンク通信モジュールが前記ダウンリンク通信モジュールに接続されている電気ゲートウェイであって、
前記アップリンク通信モジュールは、アップリンクネットワーク要素と通信するように構成され、
前記ダウンリンク通信モジュールは、前記アップリンクネットワーク要素によって送信されたダウンリンクデータが端末装置情報の取得であると決定されたとき、前記端末装置情報が前記電気ゲートウェイに保存されている場合、前記端末装置情報を前記アップリンク通信モジュールに伝送し、前記端末装置情報が前記電気ゲートウェイに保存されていない場合、前記端末装置情報の取得を送信するように構成されている、電気ゲートウェイ。
【請求項１８】
前記端末装置情報の取得を送信する前記ダウンリンク通信モジュールは、具体的には、前記ダウンリンク通信モジュールによって、前記端末装置情報の取得を端末装置に送信する、請求項１７に記載の電気ゲートウェイ。
【請求項１９】
前記アップリンク通信モジュールは、前記アップリンクネットワーク要素によって送信された前記ダウンリンクデータを受信するように構成され、
前記ダウンリンク通信モジュールは、前記ダウンリンクデータをカプセル化解除し、前記カプセル化解除されたダウンリンクデータに応じて前記ダウンリンクデータが前記端末装置情報の取得であるかどうかを決定するように構成されている、請求項１７または１８に記載の電気ゲートウェイ。
【請求項２０】
前記端末装置は、電気メータであり、前記端末装置情報は、前記電気メータの読みである、請求項１７から１９のいずれか１項に記載の電気ゲートウェイ。
【請求項２１】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項１７から１９のいずれか１項に記載の電気ゲートウェイ。
【請求項２２】
ワイヤレス通信モジュールとＺｉｇＢｅｅ通信モジュールとを備え、前記ワイヤレス通信モジュールが前記ＺｉｇＢｅｅ通信モジュールに接続されている電気ゲートウェイであって、
前記ＺｉｇＢｅｅ通信モジュールは、端末装置と通信するように構成され、
前記ワイヤレス通信モジュールは、アップリンクネットワーク要素によって送信されたダウンリンクデータを受信し、前記ダウンリンクデータをカプセル化解除し、前記カプセル化解除されたダウンリンクデータに応じて前記ダウンリンクデータが端末装置情報の取得であるかどうかを決定し、前記カプセル化解除されたダウンリンクデータが前記端末装置情報の取得であるとき、前記端末装置情報が電気ゲートウェイに保存されている場合、前記端末装置情報をカプセル化し、前記端末装置情報を送出し、端前記末機器情報が前記電気ゲートウェイに保存されていない場合、前記端末装置情報の取得をカプセル化し、前記端末装置情報の取得を前記ＺｉｇＢｅｅ通信モジュールに伝送するように構成されている、電気ゲートウェイ。
【請求項２３】
前記端末装置は、電気メータであり、前記端末装置情報は、前記電気メータの読みである、請求項２２に記載の電気ゲートウェイ。
【請求項２４】
アップリンクネットワーク要素によって送信されたダウンリンクデータを受信するステップと、
前記ダウンリンクデータが端末装置情報の取得であると決定したとき、前記端末装置情報が電気ゲートウェイに保存されている場合、前記端末装置情報を前記アップリンクネットワーク要素に伝送し、前記端末装置情報が前記電気ゲートウェイに保存されていない場合、前記端末装置情報の取得を端末装置に伝送するステップと
を備える、電気ゲートウェイの通信方法。
【請求項２５】
前記ダウンリンクデータが前記端末装置情報の取得であると決定する前記ステップは、
前記ダウンリンクデータをカプセル化解除するステップと、
前記カプセル化解除されたダウンリンクデータに応じて前記ダウンリンクデータが前記端末装置情報の取得であるかどうかを決定するステップと
を備える、請求項２４に記載の電気ゲートウェイの通信方法。
【請求項２６】
前記端末装置情報が前記電気ゲートウェイに保存されている場合、前記端末装置情報を前記アップリンクネットワーク要素に伝送する前記ステップは、具体的には、
前記端末装置情報が前記電気ゲートウェイに保存されている場合、前記端末装置情報をカプセル化し、前記アップリンクネットワーク要素に伝送するステップである、請求項２４または２５に記載の電気ゲートウェイの通信方法。
【請求項２７】
前記端末装置情報が前記電気ゲートウェイに保存されていない場合、前記端末装置情報の取得を前記端末装置に伝送する前記ステップは、具体的には、
前記端末装置情報が前記電気ゲートウェイに保存されていない場合、前記端末装置情報の取得をカプセル化し、前記端末装置に送信するステップである、請求項２４または２５に記載の電気ゲートウェイの通信方法。
【請求項２８】
前記端末装置情報の取得は、具体的には、電気メータの読みの取得である、請求項２４から２７のいずれか１項に記載の電気ゲートウェイの通信方法。
【発明の詳細な説明】
【技術分野】
【０００１】
本発明は、通信技術の分野に関し、特に、電気ゲートウェイおよび電気ゲートウェイの通信方法に関する。
【０００２】
電力通信システムがあれば、電力供給業者が家庭用電気メータを管理、制御するのに非常に便利であり、加えて、電力供給業者は、適時に電気メータの現在動作状況を取得することがあるので、電力供給業者は、電気メータ情報を取得するためにユーザの家庭に行く必要がない。
【０００３】
従来型の電力通信システムは、電気メータおよび１次局を含み、電気メータ内の通信モジュールは、電気メータの動作パラメータを１次局に報告することがあり、１次局は、電気メータを制御・管理するためのコマンドを配信することがある。
【発明の概要】
【発明が解決しようとする課題】
【０００４】
本発明の実施形態は、端末装置とアップリンクネットワーク要素との間のデータ伝送を制御するための電気ゲートウェイおよび電気ゲートウェイの通信方法を提供する。
【課題を解決するための手段】
【０００５】
本発明の一実施形態は、
アップリンクネットワーク要素によって送信されたダウンリンクデータを受信するステップと、
ダウンリンクデータが端末装置情報を取得していると決定したとき、端末装置情報が電気ゲートウェイに保存されている場合、端末装置情報をアップリンクネットワーク要素に伝送し、端末装置情報が電気ゲートウェイに保存されていない場合、端末装置情報の取得を端末装置に伝送するステップと
を含む、電気ゲートウェイの通信方法を提供する。
【０００６】
本発明の一実施形態は、アップリンク通信モジュールと、ダウンリンク通信モジュールと、制御ユニットとを含む電気ゲートウェイであって、
アップリンク通信モジュールは、アップリンクネットワーク要素と通信するように構成され、
ダウンリンク通信モジュールは、端末装置と通信するように構成され、
アップリンク通信モジュールとダウンリンク通信モジュールとを接続する制御ユニットは、アップリンクネットワーク要素によって送信されたダウンリンクデータが端末装置情報の取得と決定されたとき、端末装置情報が電気ゲートウェイに保存されている場合、端末装置情報をアップリンク通信モジュールに伝送し、端末装置情報が電気ゲートウェイに保存されていない場合、端末装置情報の取得をダウンリンク通信モジュールに伝送するように構成されている、電気ゲートウェイを提供する。
【０００７】
電気ゲートウェイでは、アップリンクネットワーク要素によって端末装置に送信されたダウンリンクデータを処理した後、制御ユニットは、端末装置に伝送されるデータトラフィックを低減するために、処理結果、たとえば、端末装置情報をアップリンクネットワーク要素に返信することがあり、その結果、電気ゲートウェイは、制御ユニットを介してダウンリンクデータを制御することが可能であり、それによって、端末装置とアップリンクネットワーク要素との間のデータ伝送を制御することを理解することができる。
【０００８】
本発明の一実施形態は、アップリンク通信モジュールおよびダウンリンク通信モジュールを含み、アップリンク通信モジュールがダウンリンク通信モジュールに接続されている電気ゲートウェイであって、
ダウンリンク通信モジュールは、端末装置と通信するように構成され、
アップリンク通信モジュールは、アップリンクネットワーク要素によって送信されたダウンリンクデータが端末装置情報の取得であると決定されたとき、端末装置情報が電気ゲートウェイに保存されている場合、端末装置情報を送信し、端末装置情報が電気ゲートウェイに保存されていない場合、端末装置情報の取得をダウンリンク通信モジュールに伝送するように構成されている、電気ゲートウェイを提供する。
【０００９】
本発明の一実施形態は、ワイヤレス通信モジュールおよびＺｉｇＢｅｅ通信モジュールを含み、ワイヤレス通信モジュールがＺｉｇＢｅｅ通信モジュールに接続されている電気ゲートウェイであって、
ＺｉｇＢｅｅ通信モジュールは、端末装置と通信するように構成され、
ワイヤレス通信モジュールは、アップリンクネットワーク要素によって送信されたダウンリンクデータを受信し、ダウンリンクデータをカプセル化解除し、カプセル化解除されたダウンリンクデータに応じてダウンリンクデータが端末装置情報の取得であるかどうかを決定し、カプセル化解除されたダウンリンクデータが端末装置情報の取得であるとき、端末装置情報が電気ゲートウェイに保存されている場合、端末装置情報をカプセル化し、カプセル化された端末装置情報を送信し、端末装置情報が電気ゲートウェイに保存されていない場合、端末装置情報の取得をカプセル化し、端末装置情報の取得をＺｉｇＢｅｅ通信モジュールに伝送するように構成されている、電気ゲートウェイを提供する。
【００１０】
別の電気ゲートウェイでは、アップリンク通信モジュールは、直接的にダウンリンク通信モジュールと通信してもよく、ダウンリンクデータの具体的な内容に応じて実行される処理機能は、アップリンク通信モジュールのリソースを完全に利用し、電気ゲートウェイのボリュームを節約するように、アップリンク通信モジュールに統合されることがあることを理解することができる。さらに、制御ユニットの運転が低減され、それによって、電気ゲートウェイの電力消費量を削減する。
【００１１】
本発明の一実施形態は、アップリンク通信モジュールおよびダウンリンク通信モジュールを含み、アップリンク通信モジュールがダウンリンク通信モジュールに接続されている電気ゲートウェイであって、
アップリンク通信モジュールは、アップリンクネットワーク要素と通信するように構成され、
ダウンリンク通信モジュールは、アップリンクネットワーク要素によって送信されたダウンリンクデータが端末装置情報の取得であると決定されたとき、端末装置情報が電気ゲートウェイに保存されている場合、端末装置情報をアップリンク通信モジュールに伝送し、端末装置情報が電気ゲートウェイに保存されていない場合、端末装置情報の取得を送信するように構成されている、電気ゲートウェイを提供する。
【００１２】
別の電気ゲートウェイ、および本発明の実施形態の電気ゲートウェイでは、アップリンク通信モジュールは、直接的にダウンリンク通信モジュールと通信してもよく、ダウンリンクデータの具体的な内容に応じて実行される処理機能は、ダウンリンク通信モジュールのリソースを完全に利用し、電気ゲートウェイのボリュームを節約するように、ダウンリンク通信モジュールに統合されることを理解することができる。さらに、冗長な制御ユニットの運転が低減され、それによって、電気ゲートウェイの電力消費量を削減する。
【００１３】
本発明の実施形態または従来技術における実施形態の技術的解決策をより明瞭に説明するために、以下では、実施形態または従来技術を説明するために必要とされる添付図面を簡単に説明する。明らかに、以下の説明中での添付図面は、単に本発明の一部の実施形態を示すだけであり、当業者は、創造的な努力を要することなく、添付図面から他の図面を得ることができる。
【図面の簡単な説明】
【００１４】
【図１】図１は本発明の一実施形態に設けられた電気ゲートウェイを示した概略構成図である。
【図２】図２は本発明の一実施形態に設けられた別の電気ベートウェイを示した概略構成図である。
【図３】図３は本発明の一実施形態に設けられた別の電気ゲートウェイ内のアップリンク通信モジュールを示した具体的な概略構成図である。
【図４】図４は本発明の一実施形態に設けられた別の電気ゲートウェイ内のアップリンク通信モジュールを示した具体的な概略構成図である。
【図５】図５は本発明の一実施形態に設けられた別の電気ゲートウェイ内のダウンリンク通信モジュールを示した具体的な概略構成図である。
【図６】図６は本発明の一実施形態に設けられた別の電気ゲートウェイ内のダウンリンク通信モジュールを示した具体的な概略構成図である。
【図７】図７は本発明の一実施形態に設けられた別の電気ゲートウェイ内のダウンリンク通信モジュールを示した具体的な概略構成図である。
【図８】図８は本発明の一実施形態に設けられた別の電気ゲートウェイ内のアップリンク通信モジュールを示した具体的な概略構成図である。
【図９】図９は本発明の一実施形態に設けられた電気ゲートウェイの通信方法を示した流れ図である。
【発明を実施するための形態】
【００１５】
以下に、本発明の実施形態における添付図面を参照して本発明の実施形態による技術的解決策を明瞭かつ完全に説明する。明らかに、以下の説明における実施形態は、本発明の実施形態の全部ではなく、単に一部に過ぎない。本発明の実施形態に基づいて創造的な努力を要することなく、当業者によって実現された他の全ての実施形態は、本発明の保護範囲に含まれるものとする。
【００１６】
本発明の一実施形態は、電気ゲートウェイを提供し、この電気ゲートウェイを介して、少なくとも１台の（電気メータまたはガスメータなどの）端末装置が、アップリンクネットワークにアクセスすることがあり、電気ゲートウェイが、端末装置とアップリンクネットワーク要素との間のデータ伝送を制御することがある。電気ゲートウェイの概略構成図が図１に示され、電気ゲートウェイは、アップリンク通信モジュール１０と、ダウンリンク通信モジュール１１と、制御ユニット１２とを含み、加えて、電気ゲートウェイは、電源と、他のインターフェースなどをさらに含むことがある。
【００１７】
アップリンク通信モジュール１０は、アップリンク・ワイド・エリア・ネットワーク（Ｗｉｄｅ  Ａｒｅａ  Ｎｅｔｗｏｒｋ、ＷＡＮ）内のネットワーク要素、たとえば、１次局またはサーバなどの装置に主として接続され、また、アップリンクネットワーク要素と通信するように構成されている。
【００１８】
制御ユニット１２は、アップリンク通信モジュール１０とダウンリンク通信モジュール１１とを接続し（たとえば、制御ユニット１２は、アップリンク通信モジュール１０およびダウンリンク通信モジュール１１と通信することがあり）、制御ユニット１２が、アップリンクネットワーク要素によって送信されたダウンリンクデータは端末装置情報の取得であると決定したとき、端末装置情報が電気ゲートウェイに保存されている場合、端末装置情報をアップリンク通信モジュールに伝送し、端末装置情報が電気ゲートウェイに保存されていない場合、端末装置情報の取得をダウンリンク通信モジュール１１に伝送するように構成されている。
【００１９】
端末装置情報の取得は、端末装置の状態情報、ネットワーキング情報、または現在状態などの読み取り情報、たとえば、電気メータの読み（すなわち、電気メータ上に示された数字）または電気量の読み取り情報でもよい。
【００２０】
ダウンリンク通信モジュール１１は、ダウンリンク・ホーム・エリア・ネットワーク（Ｈｏｍｅ  Ａｒｅａ  Ｎｅｔｗｏｒｋ、ＨＡＮ）の端末装置に接続され、端末装置と通信するように構成されている。
【００２１】
理解されるべきこととして、アップリンク通信モジュール１０がアップリンクデータを受信した後、電気ゲートウェイが、最初にダウンリンクデータをカプセル化解除する必要があり、カプセル化解除されたダウンリンクデータが端末装置情報であるかどうかを決定し、ここで、電気ゲートウェイによるダウンリンクデータのカプセル化解除は、アップリンク通信モジュール１０または制御ユニット１２によって実行されてもよい。具体的な実施形態では、以下の通りである。
【００２２】
（１）ダウンリンクデータのカプセル化解除がアップリンク通信モジュール１０によって実行されるとき、アップリンク通信モジュール１０は、アップリンクネットワーク要素によって送信されたダウンリンクデータを受信し、ダウンリンクデータをカプセル化解除し、ダウンリンクデータを制御ユニット１２に送信するように構成され、また、制御ユニット１２は、カプセル化解除されたダウンリンクデータに応じてこのダウンリンクデータが端末装置情報の取得であるかどうかを決定するように具体的に構成されている。
【００２３】
（２）ダウンリンクデータのカプセル化解除が制御ユニット１２によって実行されるとき、アップリンク通信モジュール１０は、アップリンクネットワーク要素によって送信されたダウンリンクデータを受信し、ダウンリンクデータを制御ユニット１２に伝送するように構成され、また、制御ユニット１２は、ダウンリンクデータをカプセル化解除し、カプセル化解除されたダウンリンクデータに応じてダウンリンクデータが端末装置情報の取得であるかどうかを決定するように構成されている。
【００２４】
さらに、電気ゲートウェイ内の制御ユニット１２がダウンリンクデータは端末装置情報の取得であると決定したとき、端末装置情報が電気ゲートウェイに保存されている場合、電気ゲートウェイは、端末装置から端末装置情報を取得することを要することなく、端末装置情報をアップリンクネットワーク要素に送信することが必要である。具体的には、電気ゲートウェイは、アップリンク通信モジュール１０とアップリンクネットワーク要素との間の通信プロトコルを使用することにより端末装置情報をカプセル化し、その後、カプセル化された端末装置情報をアップリンクネットワーク要素に送信することが必要である。しかし、電気ゲートウェイによる端末装置情報のカプセル化は、アップリンク通信モジュール１０または制御ユニット１２によって実行されてもよい。具体的な実施形態では、以下の通りである。
【００２５】
（１）カプセル化動作がアップリンク通信モジュール１０によって実行されるとき、制御ユニット１２は、端末装置情報が電気ゲートウェイに保存されているとき、端末装置情報をアップリンク通信モジュール１０に伝送するように構成され、アップリンク通信モジュール１０は、端末装置情報をカプセル化し、カプセル化された端末装置情報をアップリンクネットワーク要素に送信する。
【００２６】
（２）カプセル化動作が制御モジュール１２によって実行されるとき、制御ユニット１２は、端末装置情報が電気ゲートウェイに保存されているとき、端末装置情報をカプセル化し、カプセル化された端末装置情報をアップリンク通信モジュール１０に伝送するように構成され、アップリンク通信モジュール１０は、カプセル化された端末装置情報をアップリンクネットワーク要素に送信する。
【００２７】
さらに、電気ゲートウェイ内の制御ユニット１２が、ダウンリンクデータは端末装置情報の取得であると決定したとき、端末装置情報が電気ゲートウェイに保存されていない場合、端末装置が端末装置情報を取得するように、電気ゲートウェイは、端末装置情報の取得を端末装置に送信することが必要である。具体的には、電気ゲートウェイは、ダウンリンク通信モジュール１１と端末装置との間の通信プロトコルを使用することにより端末装置情報の取得をカプセル化し、その後、カプセル化された端末装置情報の取得を端末装置に送信することが必要である。電気ゲートウェイによる端末装置情報の取得のカプセル化は、ダウンリンク通信モジュール１１または制御ユニット１２によって実行されてもよい。具体的な実施形態は、以下の通りである。
【００２８】
（１）カプセル化動作がダウンリンク通信モジュール１１によって実行されるとき、制御ユニット１２は、端末装置情報が電気ゲートウェイに保存されていないとき、端末装置情報の取得をダウンリンク通信モジュール１１に伝送するように構成され、ダウンリンク通信モジュール１１は、端末装置情報の取得をカプセル化し、カプセル化された端末装置情報の取得を端末装置に送信する。
【００２９】
（２）ダウンリンク通信モジュール１１の処理能力が制限されている場合、カプセル化動作は、制御モジュール１２によって実行されることがあり、また、制御ユニット１２は、端末装置情報が電気ゲートウェイに保存されていないとき、端末装置情報の取得をカプセル化し、カプセル化された端末装置情報の取得をダウンリンク通信モジュール１１に伝送するように構成され、また、ダウンリンク通信モジュール１１は、カプセル化された端末装置情報の取得を端末装置に送信する。
【００３０】
本発明の実施形態の電気ゲートウェイでは、ダウンリンク通信モジュール１１とアップリンク通信モジュール１０とを接続する制御ユニット１２は、アップリンクネットワーク要素によって端末装置に送信されたダウンリンクデータの具体的な内容に応じて処理を実行し、その後、端末装置に伝送されるデータトラフィックを低減するために、処理結果、たとえば、端末装置情報をアップリンクネットワーク要素に返送することがあり、その結果、電気ゲートウェイは、制御ユニット１２を介してダウンリンクデータを制御することが可能であり、それにより、端末装置とアップリンクネットワーク要素との間のデータ伝送を制御できることを理解することができる。
【００３１】
さらに、電気ゲートウェイでは、制御ユニット１２がダウンリンクデータは端末装置のための制御情報であると決定したとき、ダウンリンク通信モジュール１１が制御情報を端末装置に送信するように、制御ユニット１２は、制御情報をダウンリンク通信モジュール１１に伝送し、また、制御ユニット１２が、ダウンリンクデータは電気ゲートウェイのためのコンフィギュレーション情報であると決定したとき、制御ユニット１２は、コンフィギュレーション情報に応じて電気ゲートウェイを構成する。端末装置のための制御情報は、端末装置の動作に関する制御を指示すること、たとえば、端末装置がある一定間隔で状態情報を送信することを要求すること、または端末装置が現在状態情報を送信することを要求することなどがあり、また、電気ゲートウェイのためのコンフィギュレーション情報は、電気ゲートウェイの伝送データ、たとえば、電気ゲートウェイのアクセスのトラフィック情報、もしくは、端末装置の台数、または、電気ゲートウェイによってアップロードされたデータのトラフィック情報などのようなパラメータを参照することがあり、このようにして、アップリンクネットワークへのアクセスのためのトラフィックが、制限されることがある。
【００３２】
この実施形態では、電気ゲートウェイが制御情報を端末装置に送信するとき、電気ゲートウェイは、最初に、ダウンリンク通信モジュール１１と端末装置との間の通信プロトコルを使用することにより制御情報をカプセル化し、次に、カプセル化された制御情報を端末装置に送信することが必要であることに留意すべきである。具体的には、制御情報のカプセル化は、制御ユニット１２またはダウンリンク通信モジュール１１によって実行されることがある。
【００３３】
別の具体的な実施形態では、電気ゲートウェイ内のダウンリンク通信モジュール１１は、端末装置によって送信されたアップリンクデータを受信するようにさらに構成され、制御ユニット１２がアップリンクデータはダウンリンクデータへの応答情報であると決定したとき、制御ユニット１２は、応答情報をアップリンク通信モジュール１０に伝送し、また、制御ユニット１２が端末装置によって送信されたアップリンクデータは端末装置によって報告された状態情報またはネットワーキング情報であると決定したとき、制御ユニット１２は、状態情報またはネットワーキング情報を保存するように記憶モジュールを制御する。
【００３４】
ダウンリンクデータへの応答情報は、読み取りコマンドが受信されたことを指示する応答メッセージのようなアップリンクネットワーク要素によって送信された読み取りコマンド、または制御情報などへの応答でもよく、また、端末装置によって報告された状態情報は、電気量、端末装置の読み取り状態などを参照することがあり、また、ネットワーキング情報は、端末装置がネットワーク内にあるかどうかに関する情報などのネットワーク内の端末装置のパラメータを参照することがあり、制御ユニット１２は、端末装置によって報告された状態情報またはネットワーキング情報を保存するために記憶モジュールを制御することがあり、このようにして、状態情報またはネットワーキング情報が、必要に応じてアップリンクネットワーク要素に送信されることがあり、それによって、端末装置とアップリンクネットワーク要素との間のデータ伝送を低減することがある。
【００３５】
電気ゲートウェイが端末装置のアップリンクデータを受信し、処理するとき、電気ゲートウェイは、最初にアップリンクデータをカプセル化解除することが必要であり、具体的には、アップリンクデータのカプセル化解除は、ダウンリンク通信モジュール１１によって実行されてもよいことに留意すべきである。しかしながら、ダウンリンク通信モジュール１１の処理能力が制限されている場合、アップリンクデータのカプセル化解除は、制御ユニット１２またはアップリンク通信モジュール１０によって実行されることがある。アップリンクデータがダウンリンクデータへの応答情報である場合、応答情報がアップリンクネットワーク要素に送信される前に、アップリンク通信モジュール１０または制御ユニット１２は、アップリンク通信モジュール１０とアップリンクネットワーク要素との間の通信プロトコルを使用することによって応答情報をカプセル化することが必要である。
【００３６】
理解されるべきこととして、記憶モジュール１３、たとえば、記憶チップは、電気ゲートウェイにさらに含まれることがあり、電気ゲートウェイのためのコンフィギュレーション情報、端末装置により報告されたネットワーキング情報または状態情報など、制御ユニット１２によってダウンリンクデータまたはアップリンクデータを処理する手続きの間に生成されたデータを保存するために使用され得る。別の具体的な実施形態では、記憶モジュール１３は、電気ゲートウェイに含まれないことがあるが、電気ゲートウェイに外部接続されることがあり、このようにして、電気ゲートウェイのボリュームおよび電力消費量を節約することができる。
【００３７】
制御ユニット１２は、マイクロ制御ユニット（Ｍｉｃｒｏ  Ｃｏｔｒｏｌ  Ｕｎｉｔ、ＭＣＵ）でもよく、アップリンク通信モジュール１０は、限定されることはないが、一般パケット無線サービス技術（Ｇｅｎｅｒａｌ  Ｐａｃｋｅｔ  Ｒａｄｉｏ  Ｓｅｒｖｉｃｅ、ＧＰＲＳ）通信モジュール、ロング・ターム・エボリューション（Ｌｏｎｇ  Ｔｅｒｍ  Ｅｖｏｌｕｔｉｏｎ、ＬＴＥ）通信モジュール、符号分割多元接続（Ｃｏｄｅ  Ｄｉｖｉｓｉｏｎ  Ｍｕｌｔｉｐｌｅ  Ａｃｃｅｓｓ、ＣＤＭＡ）通信モジュール、エボリューション・データ（Ｅｖｏｌｕｔｉｏｎ  Ｄａｔａ  Ｏｎｌｙ、ＥＶＤＯ）通信モジュール、時分割同期符号分割多元接続（ＴＤ−ＳＣＤＭＡ）通信モジュール、広帯域符号帯域分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）通信モジュール、グローバル移動体通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、または他のワイヤレス通信モジュールを含むことがあることに留意すべきである。具体的には、アップリンク通信モジュールは、無線周波数ユニット、ＭＣＵ、および記憶ユニットを含むことがあり、無線周波数ユニットは、主として、アップリンクデータを送信し、ダウンリンクデータを受信するように構成され、ＭＣＵは、スタートアップ制御などの無線周波数ユニットおよび記憶ユニットを制御するように構成され、ＭＣＵは、アップリンクデータのカプセル化およびダウンリンクデータのカプセル化解除のような動作を実行するようにさらに構成され、ダウンリンク通信モジュール１１は、ワイファイ（Ｗｉｒｅｌｅｓｓ  Ｆｉｄｅｌｉｔｙ、Ｗｉ−Ｆｉ）通信モジュールまたはＺｉｇＢｅｅ通信モジュールのような短距離通信モジュールでもよく、ＺｉｇＢｅｅ通信モジュールは、無線周波数ユニット、ＭＣＵ、および記憶ユニットを含むことがあり、無線周波数ユニットは、主として、アップリンクデータを受信し、ダウンリンクデータを送信するように構成され、ＭＣＵは、無線周波数ユニットおよび記憶ユニットを制御するように構成され、アップリンクデータをカプセル化解除し、ダウンリンクデータをカプセル化し、他の動作を実行するようにさらに構成されることがある。一般に、アップリンク通信モジュール１０に含まれるＭＣＵは、ダウンリンク通信モジュール１１に含まれるＭＣＵよりも強い機能を有しているので、アップリンクネットワークによる端末装置の制御を完全に確実にすることができる。
【００３８】
具体的なアプリケーション例では、アップリンクネットワーク要素によって送信されたダウンリンクデータを受信するとき、電気ゲートウェイのアップリンク通信モジュール１０は、ダウンリンクデータをカプセル化解除し、ダウンリンクデータを制御ユニット１２に伝送し、制御ユニット１２は、ダウンリンクデータの内容に応じて、電気メータの現在読み取りパラメータを読み取ることが必要であることを決定し、次に、カプセル化解除されたダウンリンクデータをカプセル化し、次に、ダウンリンクデータをダウンリンク通信モジュール１１に伝送し、ダウンリンク通信モジュール１１は、カプセル化されたダウンリンクデータを電気メータに送信する。
【００３９】
電気メータによって送信されたアップリンクデータを受信するとき、電気ゲートウェイのダウンリンク通信モジュール１１は、アップリンクデータを制御ユニット１２に伝送し、アップリンクデータをカプセル化解除した後、制御ユニット１２は、アップリンクデータの内容に応じて、このアップリンクデータが電気メータによって報告された、電気メータがネットワーク内にあるかどうかの情報などのネットワーキング情報であると決定し、その後、ネットワーキング情報を保存するために記憶モジュール１３を制御する。
【００４０】
本発明の実施形態は、別の電気ゲートウェイをさらに提供し、この別の電気ゲートウェイを介して、（電気メータおよびガスメータなどの）少なくとも１台の端末装置は、端末装置とアップリンクネットワーク要素との間のデータ伝送を制御するためにアップリンクネットワークにアクセスすることがあり、また、本実施形態の電気ゲートウェイでは、データの具体的な内容に応じて実行される処理（たとえば、ダウンリンクデータが電気ゲートウェイのためのコンフィギュレーションであるか、端末装置のための制御であるかなどの決定）は、アップリンク通信モジュール２０に統合されるか、または、アップリンク通信モジュール２０およびダウンリンク通信モジュール２１に統合される。概略構成図が図２に示され、電気ゲートウェイは、以下を含む。
【００４１】
アップリンク通信モジュール２０が、端末装置と通信するダウンリンク通信モジュール２１に接続され（たとえば、アップリンク通信モジュール２０が、ダウンリンク通信モジュール２１と通信することがある）、また、アップリンクネットワーク要素によって送信されたダウンリンクデータを受信し、アップリンクネットワーク要素によって送信されたダウンリンクデータが端末装置情報の取得であると決定されたとき、端末装置情報が電気ゲートウェイに保存されている場合、端末装置情報を送信し、端末装置情報が電気ゲートウェイに保存されていない場合、端末装置情報の取得をダウンリンク通信モジュール２１に伝送するように構成されている。
【００４２】
アップリンク通信モジュール２０は、最初にダウンリンクデータをカプセル化解除することがあり、次に、カプセル化解除されたダウンリンクデータに応じて、ダウンリンクデータが端末装置情報の取得であるかどうかを決定し、端末装置情報を送信するとき、アップリンク通信モジュール２０は、最初に端末装置情報をカプセル化する必要があり、次に、カプセル化された端末装置情報をアップリンクネットワーク要素に送信する。
【００４３】
理解されるべきこととして、端末装置情報が電気ゲートウェイに保存されていない場合、電気ゲートウェイは、ダウンリンクデータを送信することが必要であり、すなわち、電気ゲートウェイが端末装置から端末装置情報を取得するように、端末装置情報の取得が端末装置に送信される。換言すると、端末装置情報の取得は、最初にカプセル化され、次に、送信される。具体的には、本明細書におけるカプセル化動作は、アップリンク通信モジュール２０またはダウンリンク通信モジュール２１によって実行されてもよく、そのとき、この具体的な実施形態において以下の通りである。
【００４４】
（１）カプセル化動作がダウンリンク通信モジュール２１によって実行される場合、アップリンク通信モジュール２０は、端末装置情報が電気ゲートウェイに保存されていない場合、端末装置情報の取得をダウンリンク通信モジュール２１に伝送するように構成され、ダウンリンク通信モジュール２１は、端末装置情報の取得をカプセル化し、端末装置情報の取得を端末装置に送信する。
【００４５】
（２）カプセル化動作がアップリンク通信モジュール２０によって実行される場合、アップリンク通信モジュール２０は、端末装置情報が電気ゲートウェイに保存されていない場合、端末装置情報の取得をカプセル化し、次に、端末装置情報の取得をダウンリンク通信モジュール２１に伝送するように構成され、この情報は、ダウンリンク通信モジュール２１を介して端末装置に送信される。
【００４６】
本実施形態におけるカプセル化は、アップリンク通信モジュール２０によって実行されてもよく、または、ダウンリンク通信モジュール２１によって実行されてもよく、カプセル化動作は、好ましくは、アップリンク通信モジュール２０によって実行されることに留意すべきである。さらに、ダウンリンク通信モジュール２１の能力が制限される場合、カプセル化動作は、アップリンク通信モジュール２０によって実行されてもよい。
【００４７】
１つの具体的な実施形態では、アップリンク通信モジュール２０がダウンリンクデータは端末装置のための制御情報であると決定するとき、アップリンク通信モジュール２０が、制御情報をダウンリンク通信モジュール２１に伝送し、次いで、ダウンリンク通信モジュールが、制御情報を端末装置に送信し、また、アップリンク通信モジュール２０がダウンリンクデータは電気ゲートウェイのためのコンフィギュレーション情報であると決定したとき、アップリンク通信モジュール２０は、コンフィギュレーション情報に応じて電気ゲートウェイを構成する。
【００４８】
さらに、電気ゲートウェイ内のダウンリンク通信モジュール２１は、端末装置によって送信されたアップリンクデータを受信するようにさらに構成され、アップリンク通信モジュール２０がアップリンクデータはダウンリンクデータへの応答情報であると決定したとき、アップリンク通信モジュール２０は、応答情報を送信し、すなわち、応答情報をカプセル化し、この応答情報をアップリンクネットワーク要素に送信し、また、アップリンク通信モジュール２０がアップリンクデータは端末装置によって報告された状態情報またはネットワーキング情報であると決定したとき、アップリンク通信モジュール２０は、状態情報またはネットワーキング情報を保存する。アップリンク通信モジュール２０による応答情報のカプセル化は、アップリンク通信モジュール２０とアップリンクネットワーク要素との間の通信プロトコルに応じて実行され、さらに、電気ゲートウェイがアップリンクデータを受信するとき、電気ゲートウェイは、最初にアップリンクデータをカプセル化解除する必要があり、具体的なカプセル化解除動作は、ダウンリンク通信モジュール２１またはアップリンク通信モジュール２０によって実行されることがある。
【００４９】
具体的な実施では、アップリンクデータおよびダウンリンクデータの具体的な内容に応じた処理の機能は、アップリンク通信モジュール２０に含まれるＭＣＵなどの制御モジュールに統合されてもよい。このようにして、アップリンク通信モジュール２０に含まれたＭＣＵは、ダウンリンクデータをカプセル化解除し、アップリンクデータをカプセル化できるだけでなく、ダウンリンクデータおよびアップリンクデータの具体的な内容に応じた処理、たとえば、ダウンリンクデータが電気ゲートウェイのためのコンフィギュレーションであるか、または、端末装置情報の取得であるかをダウンリンクデータに応じて決定することなどを実行することができ、それによって、アップリンク通信モジュール２０のリソース空間が完全に利用される。
【００５０】
アップリンク通信モジュール２０がネットワーキング情報または状態情報を保存するとき、この情報は、付加的な外部データ記憶ユニットを要することなく、アップリンク通信モジュール２０に含まれる記憶ユニットにそのまま保存され得る。さらに、本発明の実施形態における端末装置によって報告されたネットワーキング情報または状態情報、端末装置情報の取得、電気ゲートウェイのためのコンフィギュレーション情報、ダウリンクデータへの応答情報、および端末装置のための制御情報が、図１に対応する実施形態において記載されているので、詳細は、本明細書では繰り返されない。
【００５１】
具体的には、アップリンク通信モジュール２０は、（限定されることなく、ＧＰＲＳ通信モジュール、ＬＴＥ通信モジュール、ＣＤＭＡ通信モジュール、ＥＶＤＯ通信モジュール、ＴＤ−ＳＣＤＭＡ通信モジュール、ＷＣＤＭＡ通信モジュール、または、ＧＳＭ（登録商標）通信モジュールをはじめとする）ワイヤレス通信モジュールでもよく、ダウンリンク通信モジュール２１は、ワイファイ通信モジュールおよびＺｉｇＢｅｅ通信モジュールなどの短距離通信モジュールでもよい。
【００５２】
１つの具体的なアプリケーション例では、端末装置は、電気メータでもよく、電気ゲートウェイは、ワイヤレス通信モジュールおよびＺｉｇＢｅｅ通信モジュールを含み、ワイヤレス通信モジュールは、ＺｉｇＢｅｅ通信モジュールに接続されている。電気ゲートウェイのワイヤレス通信モジュールがアップリンクネットワーク要素によって送信されたダウンリンクデータを受信するとき、ダウンリンクデータをカプセル化解除した後、電気ゲートウェイのワイヤレス通信モジュール、電気ゲートウェイのワイヤレス通信モジュールは、ダウンリンクデータの内容が、読み取る必要がある電気メータの現在読み取りパラメータ（たとえば、電気メータ上に表示された数字）であると決定し、その後、カプセル化解除されたダウンリンクデータをＺｉｇＢｅｅ通信モジュールに伝送し、ＺｉｇＢｅｅ通信モジュールは、カプセル化解除されたダウンリンクデータをカプセル化し、電気メータに送信し、電気ゲートウェイのＺｉｇＢｅｅ通信モジュールが電気メータによって送信されたアップリンクデータを受信したとき、ＺｉｇＢｅｅ通信モジュールは、アップリンクデータをワイヤレス通信モジュールに伝送し、ワイヤレス通信モジュールは、アップリンクデータをカプセル化解除し、アップリンクデータの内容に応じて、このアップリンクデータは、電気メータがネットワーク内にあるかどうかの情報のような電気メータによって報告されたネットワーキング情報であると決定し、ネットワーキング情報を保存する。
【００５３】
別の具体的なアプリケーション例では、電気ゲートウェイのアップリンク通信モジュール２０がアップリンクネットワーク要素によって送信されたダウンリンクデータを受信するとき、ダウンリンクデータをカプセル化解除した後、電気ゲートウェイのアップリンク通信モジュール２０は、ダウンリンクデータの内容が、電気ゲートウェイにアクセスする端末の台数の情報をはじめとする電気ゲートウェイのためのコンフィギュレーション情報であると決定し、その後、アップリンク通信モジュール２０は、ＭＣＵが端末装置のアップリンクデータを受信するためにダウンリンク通信モジュール２１を制御するように、ダウンリンク通信モジュール２１に含まれるＭＣＵを構成する。具体的には、ＭＣＵは、ダウンリンク通信モジュール２１と通信する端末装置の台数がコンフィギュレーション情報内の端末の台数を超過するとき別の端末装置によって送信されたアップリンクデータの受信を停止するためにダウンリンク通信モジュール２１内の無線周波数ユニットを制御するように構成されることがある。その上、アップリンク通信モジュール２０は、コンフィギュレーション情報を保存することがあり、また、電気ゲートウェイのダウンリンク通信モジュール２１が電気メータによって送信されたアップリンクデータを受信するとき、電気ゲートウェイのダウンリンク通信モジュール２１は、アップリンクデータをアップリンク通信モジュール２０に伝送し、また、アップリンク通信モジュール２０がアップリンク通信モジュール２０によるアップリンクデータをカプセル化解除した後、アップリンク通信モジュール２０は、カプセル化解除されたアップリンクデータの内容がアップリンクネットワーク要素への応答情報であると決定し、アップリンク通信モジュール２０とアップリンクネットワーク要素との間の通信プロトコルを使用することにより応答情報をカプセル化し、この応答情報をアップリンクネットワーク要素に送信する。
【００５４】
本発明の実施形態の電気ゲートウェイでは、アップリンク通信モジュール２０は、制御ユニットによって実行される処理を要することなく、直接的にダウンリンク通信モジュール２１と通信できることを理解することができ、ダウンリンクデータおよびアップリンクデータの具体的内容に応じた処理の機能は、アップリンク通信モジュールのリソースを完全に利用し、通信機器のボリュームを節約するようにアップリンク通信モジュール２０に統合され、冗長な制御ユニットの運転が低減され、それによって、電気ゲートウェイの電力消費量を削減する。
【００５５】
実施形態の電気ゲートウェイでは、ダウンリンクデータおよびアップリンクデータの具体的な内容に応じた処理の機能は、アップリンク通信モジュール２０に統合され、別の具体的な実施形態では、データの具体的な内容に応じた処理の機能をアップリンク通信モジュール２０およびダウンリンク通信モジュール２１に統合することは、以下の場合をさらに有することがある。
【００５６】
（１）処理の機能の一方の部分をアップリンク通信モジュール２０に統合し、一方、処理の機能の他方の部分をダウンリンク通信モジュール２１に統合する。
【００５７】
１つの具体的な実施は、アップリンクデータの具体的な内容に応じて実行される処理をダウンリンク通信モジュール２１に統合することと、ダウンリンクデータの具体的な内容に応じて実行される処理をアップリンク通信モジュール２１に統合することとを含む。本実施形態では、端末装置情報の取得、または端末装置のための制御情報を端末装置に送信することに加えて、ダウンリンク通信モジュール２１は、アップリンクデータをカプセル化解除した後、端末装置によって送信されたアップリンクデータを受信するようにさらに構成され、カプセル化解除されたアップリンクデータがダウンリンクデータへの応答情報であると決定したとき、応答情報をアップリンク通信モジュール２０に送信し、また、ダウンリンク通信モジュール２１がカプセル化解除されたアップリンクデータは端末装置によって報告された状態情報またはネットワーキング情報であると決定されたとき、ダウンリンク通信モジュール２１は、状態情報またはネットワーキング情報を保存する。ダウンリンクデータの具体的な内容に応じて処理を実行することに加えて、アップリンク通信モジュール２０は、受信された応答情報をアップリンクネットワーク要素に送信するようにさらに構成されている。電気ゲートウェイが応答情報をアップリンクネットワーク要素に送信するとき、電気ゲートウェイは、最初に応答情報をカプセル化することが必要であり、次に、応答情報を送信し、カプセル化動作は、アップリンク通信モジュール２０またはダウンリンク通信モジュール２１によって実行されることがある。
【００５８】
このようにして、アップリンク通信モジュール２０は、ダウンリンクデータの具体的な内容に応じた処理を受け持ち、一方、ダウンリンク通信モジュール２１は、アップリンクデータの具体的な内容に応じた処理を受け持ち、２つの通信モジュールによって実行される具体的な処理は異なる。ダウンリンクデータおよびアップリンクデータの具体的な内容に応じた処理の機能をアップリンク通信モジュール２０に統合する技術的解決策と比較すると、これは、アップリンク通信モジュール２０とダウンリンク通信モジュール２１とのリソース利用率のバランスを取り、アップリンク通信モジュール２０の処理負担を適切に分担することがある。
【００５９】
（２）処理の全機能をアップリンク通信モジュール２０およびダウンリンク通信モジュール２１のそれぞれに統合すると、この場合、処理は、アップリンク通信モジュール２０およびダウンリンク通信モジュール２１の実際的な運転状況に応じて実行されることがあり、具体的には、この実施形態では、以下の通りである。
【００６０】
アップリンク通信モジュール２０は、ダウンリンクデータを受信した後、アップリンク通信モジュール１０の現在リソース占有率がプリセット値を上回る場合、端末装置情報の取得と、電気ゲートウェイのためのコンフィギュレーション情報と、端末装置のための制御情報とを含むダウンリンクデータを処理するためにダウンリンク通信モジュール２１を制御するように構成されている。
【００６１】
さらに、ダウンリンク通信モジュール２１が端末装置のアップリンクデータを受信した後、ダウンリンク通信モジュール２１の現在リソース占有率がプリセット値を上回る場合、端末装置によって報告されたネットワーキング情報または状態情報と、ダウンリンクデータへの応答時間とを含むアップリンクデータを処理するためにアップリンク通信モジュール２０を制御する。
【００６２】
現在リソース占有率がプリセット値を上回ると決定されたとき、アップリンク通信モジュール２０は、具体的には、アップリンク通信モジュール２０に含まれる制御モジュールが動作するときに占有されるリソースを決定し、同様に、ダウンリンク通信モジュール２１は、ダウンリンク通信モジュール２１に含まれる制御モジュールが動作するときに占有されるリソースを決定することが必要である。
【００６３】
１つの具体的な実施手順では、上記アップリンク通信モジュール２０は、以下の構造を介して実施されることがあり、概略構造図は、以下を含む図３に示される。
【００６４】
第１の無線周波数ユニット２１０が、アップリンクネットワーク要素によって送信されたダウンリンクデータを受信するように構成され、第１の無線周波数ユニット２１０は、データを送信または受信するように構成されることがあり、この第１の無線周波数ユニット２１０は、アンテナおよび集積チップ（ＩＣ）を含むことがある。
【００６５】
第１のカプセル化／カプセル化解除ユニット２２０が、ダウンリンクデータをカプセル化解除するように構成されている。
【００６６】
第１の取得処理ユニット２３０が、カプセル化解除されたダウンリンクデータが端末装置情報の取得であると決定されたとき、端末装置情報が電気ゲートウェイに保存されている場合、端末装置情報をカプセル化するように第１のカプセル化／カプセル化解除ユニット２２０を制御し、端末装置情報が電気ゲートウェイに保存されていない場合、端末装置情報の取得をダウンリンク通信モジュール２１に伝送するように構成されている。
【００６７】
第１のカプセル化／カプセル化解除ユニット２２０は、端末装置情報の取得をカプセル化し、ダウンリンク通信モジュール２１に送信することがある。
【００６８】
第１の無線周波数ユニット２１０は、カプセル化された端末装置情報をアップリンクネットワーク要素に送信するようにさらに構成されている。
【００６９】
アップリンク通信モジュール２０は、カプセル化解除されたダウンリンクデータが電気ゲートウェイのためのコンフィギュレーション情報であると決定されたとき、コンフィギュレーション情報に応じて電気ゲートウェイに関する構成を実行するように構成されている第１のコンフィギュレーション処理ユニット２４０と、カプセル化解除されたダウンリンクデータが端末装置のための制御情報であると決定されたとき、制御情報をダウンリンク通信モジュール２１に伝送するように構成されている第１の制御処理ユニット２５０とをさらに含むことがある。
【００７０】
このようにして、ダウンリンクデータの具体的な内容に応じた処理のためのユニットは、アップリンク通信モジュール２０、すなわち、第１の取得処理ユニット２３０、第１のコンフィギュレーション処理ユニット２４０および第１の制御処理ユニット２５０に統合されることがあり、これらのユニットは、第１のカプセル化／カプセル化解除ユニット２２０と共に１つのハードウェアに統合されること、たとえば、ＭＣＵ上に統合されることがある。この場合、ダウンリンク通信モジュール２１は、アップリンクデータの具体的な内容に応じて、カプセル化解除されたアップリンクデータを処理することがあり、具体的には、端末装置によって報告されたネットワーキング情報または状態情報と、ダウンリンクデータへの応答情報とを処理することを含む。
【００７１】
さらに、図４に示されるように、アップリンクデータの具体的な内容に応じた処理のためのユニットは、第１の応答処理ユニット２６０および第１の報告処理ユニット２７０を含むアップリンク通信モジュール２０に統合されることがあり、第１の応答処理ユニット２６０は、カプセル化解除されたアップリンクデータがダウンリンクデータへの応答情報であると決定されたとき、応答情報をカプセル化するために第１のカプセル化／カプセル化解除ユニット２２０を制御するように構成され、また、第１の無線周波数ユニット２１０は、カプセル化された応答情報をアップリンクネットワーク要素に送信し、また、第１の報告処理ユニット２７０は、カプセル化解除されたアップリンクデータが端末装置によって報告された状態情報またはネットワーキング情報であると決定されたとき、状態情報またはネットワーキング情報を保存するために記憶ユニットを制御するように構成されている。
【００７２】
アップリンク通信モジュール２０は、内蔵フラッシュ、記憶ユニットおよびリソース決定ユニットなどの他のユニットを含むことがあり、また、記憶ユニットは、端末装置によって報告された上記ネットワーキング情報または状態情報と電気ゲートウェイのためのコンフィギュレーション情報とを保存することがあり、また、第１の無線周波数ユニット２１０がダウンリンクデータを受信した後、リソース決定ユニットは、アップリンク通信モジュール２０のリソース占有率を決定し、リソース占有率がプリセット値を上回る場合、第１のカプセル化／カプセル化解除ユニット２２０は、処理がカプセル化解除されたダウンリンクデータの具体的な内容に応じて実行されるようにダウンリンクデータをカプセル化解除し、ダウンリンクデータをダウンリンク通信モジュール２１に伝送し、また、リソース占有率がプリセット値以下である場合、処理は、アップリンク通信モジュール２０によって実行されることに留意すべきである。
【００７３】
別の具体的な実施形態では、上記ダウンリンク通信モジュール２１は、以下の構造によって実装されることがあり、概略構成図は、以下を含む図５に示される。
【００７４】
第２の無線周波数ユニット２１１が、端末装置によって送信されたアップリンクデータを受信するように構成され、第２の無線周波数ユニット２１１は、データを送信または受信するように構成され、この第２の周波数ユニット２１１は、アンテナおよび集積チップ（ＩＣ）を含むことがある。
【００７５】
第２のカプセル化／カプセル化解除ユニット２２１が、アップリンクデータをカプセル化解除するように構成されている。
【００７６】
第２の応答処理ユニット２３１が、カプセル化解除されたアップリンクデータがダウンリンクデータへの応答情報であると決定されたとき、応答情報をアップリンク通信モジュール２０に伝送するように構成されている。
【００７７】
第２の報告処理ユニット２４１が、カプセル化解除されたアップリンクデータが端末装置によって報告された状態情報またはネットワーキング情報であると決定されたとき、状態情報またはネットワーキング情報を保存するために記憶ユニットを制御するように構成されている。
【００７８】
このようにして、ダウンリンクデータの具体的な内容に応じた処理のためのユニット、すなわち、第２の応答処理ユニット２３１および第２の報告処理ユニット２４１は、ダウンリンク通信モジュール２２１に統合されることがあり、処理のためのユニットは、第２のカプセル化／カプセル化解除ユニット２２１と共に１つのハードウェアに統合されることがあり、たとえば、ＭＣＵに統合されることがあり、この場合、処理は、カプセル化解除されたダウンリンクデータの具体的な内容に応じて、図３に示されるように、アップリンク通信モジュール２０によって実行されることがある。別の場合では、別の処理するユニットが、アップリンクデータの具体的な内容に応じた処理のためのユニットなどのダウンリンク通信モジュール２１に統合されることがある。
【００７９】
ダウンリンク通信モジュール２１は、内蔵フラッシュおよび記憶ユニットなどの他のユニットをさらに含み、また、記憶ユニットは、端末装置によって報告されたネットワーキング情報または状態情報などを保存するように構成されることがあることに留意すべきである。
【００８０】
本発明の一実施形態は、別の電気ゲートウェイをさらに提供し、この別の電気ゲートウェイを介して、少なくとも１台の端末装置（たとえば、電気メータまたはガスメータ）が、端末装置とアップリンクネットワーク要素との間でデータ伝送を制御するためにアップリンクネットワークにアクセスすることがあり、本実施形態の電気ゲートウェイでは、データの具体的な内容に応じた処理の機能は、ダウンリンク通信モジュール２１に統合されることがあり、またはアップリンク通信モジュール２０およびダウンリンク通信モジュール２１に統合されることがあり、図２に示されるように、概略構成図は、以下を含むことがある。
【００８１】
アップリンク通信モジュール２０が、ダウンリンク通信モジュール２１に接続され（たとえば、アップリンク通信モジュール２０は、ダウンリンク通信モジュール２１と通信し）、アップリンクネットワーク要素と通信するように構成されている。
【００８２】
ダウンリンク通信モジュール２１は、ダウンリンクデータが端末装置情報の取得であると決定されたとき、端末装置情報が電気ゲートウェイに保存されている場合、端末装置情報をアップリンク通信モジュール２０に伝送し、端末装置情報が電気ゲートウェイに保存されていない場合、端末装置情報の取得を送信し、すなわち、端末装置情報の取得を端末装置に送信するように構成されている。
【００８３】
具体的には、アップリンク通信モジュール２０は、アップリンクネットワーク要素によって送信されたダウンリンクデータを受信し、ダウンリンクデータをダウンリンク通信モジュール２１に伝送することがあり、一方、ダウンリンク通信モジュール２１は、最初にダウンリンクデータをカプセル化解除することが必要であり、次に、カプセル化解除されたダウンリンクデータが端末装置情報の取得であるかどうかを決定し、または、アップリンク通信モジュール２０は、ダウンリンクデータをカプセル化解除し、このダウンリンクデータを処理のためにダウンリンク通信モジュール２１に送信する。端末装置情報をアップリンク通信モジュール２０に伝送している間に、ダウンリンク通信モジュール２１は、最初に、アップリンク通信モジュール２０とアップリンクネットワーク要素との間の通信プロトコルを使用することによりカプセル化を実行し、次に、端末装置情報をアップリンク通信モジュール２０に伝送することがある。
【００８４】
１つの具体的な実施形態では、ダウンリンク通信モジュール２１がダウンリンクデータは端末装置のための制御情報であると決定したとき、ダウンリンク通信モジュール２１は、制御情報をカプセル化し、端末装置に送信し、また、ダウンリンク通信モジュール２１がダウンリンクデータは電気ゲートウェイのためのコンフィギュレーション情報であると決定したとき、ダウンリンク通信モジュール２１は、コンフィギュレーション情報に応じて電気ゲートウェイを構成する。
【００８５】
さらに、ダウンリンク通信モジュール２１は、端末装置によって送信されたアップリンクデータを受信し、アップリンクデータをカプセル化解除し、その後、カプセル化解除されたアップリンクデータの具体的な内容に応じて、処理を実行するようにさらに構成され、この処理は、具体的には、カプセル化解除されたアップリンクデータがダウンリンクデータへの応答情報であると決定されたとき、応答情報をアップリンク通信モジュール２０に伝送し、ダウンリンク通信モジュール２１がカプセル化解除されたアップリンクデータは端末装置によって報告された状態情報またはネットワーキング情報であると決定したとき、状態情報またはネットワーキング情報を保存することを含む。
【００８６】
具体的な実施では、アップリンク通信モジュール２０は、ＧＰＲＳなどのワイヤレス通信モジュールでもよく、ダウンリンク通信モジュール２１は、ワイファイ通信モジュールまたはＺｉｇＢｅｅ通信モジュールなどの短距離通信モジュールでもよいことに留意すべきである。さらに、ダウンリンク通信モジュール２１は、カプセル化解除されたアップリンクデータおよびダウンリンクデータの具体的な内容に応じた処理の手続き中に生成されたデータを、付加的な外部データ記憶ユニットを要することなく、直接的にダウンリンク通信モジュール２１に含まれる記憶ユニットに保存することがある。
【００８７】
具体的なアプリケーション例では、電気ゲートウェイのアップリンク通信モジュール２０がアップリンクネットワーク要素によって送信されたダウンリンクデータを受信するとき、電気ゲートウェイのアップリンク通信モジュール２０は、ダウンリンクデータをカプセル化解除し、ダウンリンクデータをダウンリンク通信モジュール２１に伝送し、また、ダウンリンク通信モジュール２１は、ダウンリンクデータの内容が電気メータによる状態情報の報告のサイクルなどの情報を含む電気メータの制御情報であると決定し、その後、ダウンリンク通信モジュール２１は、ダウンリンク通信モジュール２１と電気メータとの間の通信プロトコルを使用することにより制御情報をカプセル化し、制御情報を電気メータに送信することがある。
【００８８】
電気ゲートウェイのダウンリンク通信モジュール２１が電気メータによって送信されたアップリンクデータを受信するとき、アップリンクデータをカプセル化解除した後、電気ゲートウェイのダウンリンク通信モジュール２１は、アップリンクデータの内容が現在電気量の情報などの報告された状態情報であると決定し、その後、状態情報をアップリンク通信モジュール２０に伝送する。またアップリンク通信モジュール２０は、アップリンク通信モジュール２０とアップリンクネットワーク要素との間の通信プロトコルを使用することにより状態情報をカプセル化し、状態情報をアップリンクネットワーク要素に送信する。
【００８９】
本発明の実施形態による電気ゲートウェイでは、アップリンク通信モジュール２０は、直接的にダウンリンク通信モジュール２１と通信することができ、ダウンリンクデータおよびアップリンクデータの具体的な内容に応じた処理の機能は、ダウンリンク通信モジュール２１のリソースを完全に利用するためにダウンリンク通信モジュール２１に統合され、通信機器のボリュームを節約し、冗長な制御ユニットの運転が低減され、それによって、電気ゲートウェイの電力消費量を削減することを理解することができる。
【００９０】
実施形態の電気ゲートウェイでは、ダウンリンクデータおよびアップリンクデータの具体的な内容に応じた処理の機能は、アップリンク通信モジュール２０に統合されることがあり、別の具体的な実施形態では、ダウンリンクデータの具体的な内容に応じた処理は、ダウンリンク通信モジュール２１に統合されることがあり、一方、アップリンクデータの具体的な内容に応じた処理は、アップリンク通信モジュール２１に統合されることがある。この実施形態では、ダウンリンクデータの処理に加えて、ダウンリンク通信モジュール２１は、端末装置によって送信されたアップリンクデータを受信し、アップリンクデータをアップリンク通信モジュール２０に伝送するようにさらに構成され、一方、上記端末装置情報の取得、電気ゲートウェイのためのコンフィギュレーション情報、および端末装置のための制御情報の処理に加えて、アップリンク通信モジュール２０は、アップリンクデータの具体的な内容に応じた処理をさらに実行することがあり、この処理は、具体的には、アップリンクデータがダウンリンクデータへの応答情報であると決定されたとき、応答情報を送信し、すなわち、応答情報をカプセル化し、応答情報をアップリンクネットワーク要素に送信し、また、アップリンク通信モジュール２０がアップリンクデータは端末装置によって報告された状態情報またはネットワーキング情報であると決定したとき、状態情報またはネットワーキング情報を保存することを含む。
【００９１】
このようにして、アップリンク通信モジュール２０は、アップリンクデータの具体的な内容に応じた処理を受け持つことがあり、一方、ダウンリンク通信モジュール２１は、ダウンリンクデータの具体的な内容に応じた処理を受け持つことがあり、２つの通信モジュールの具体的な処理が異なることがある。ダウンリンクデータおよびアップリンクデータの具体的な内容に応じた処理の機能をダウンリンク通信モジュール２１に統合する技術的解決策と比較すると、これは、アップリンク通信モジュール２０とダウンリンク通信モジュール２１とのリソース利用率のバランスを取り、ダウンリンク通信モジュール２１の処理負担を適切に分担することがある。
【００９２】
具体的な実施手順では、実施形態におけるダウンリンク通信モジュール２１は、以下の構造を介して実施されることがあり、概略構成図が、以下を含む図６に示される。
【００９３】
第２の取得処理ユニット２１−３が、第２の取得処理ユニット２１−３がカプセル化解除されたダウンリンクデータが端末装置情報の取得であると決定されたとき、端末装置情報が電気ゲートウェイに保存されている場合、端末装置情報をアップリンク通信モジュール２０に伝送し、アップリンク通信モジュール２０は、端末装置情報を送信し、また、端末装置情報が電気ゲートウェイに保存されていない場合、受信された端末装置情報の取得をカプセル化するために第２のカプセル化／カプセル化解除ユニット２１−２を制御するように構成されている。
【００９４】
第２のカプセル化／カプセル化解除ユニット２１−２は、受信された端末装置情報の取得をカプセル化するように構成されている。
【００９５】
第２の無線周波数ユニット２１−１が、カプセル化された端末装置情報の取得を端末装置に送信するように構成され、第２の無線周波数ユニット２１−１は、データの構造を送信または受信するように構成され、アンテナおよび集積チップ（ＩＣ）を含むことがある。
【００９６】
ダウンリンク通信モジュール２１は、カプセル化解除されたダウンリンクデータが電気ゲートウェイについてのコンフィギュレーション情報であると決定されたとき、コンフィギュレーション情報に応じて電気ゲートウェイに関する構成を実行するように構成されている第２のコンフィギュレーション処理ユニット２１−４と、カプセル化解除されたダウンリンクデータが端末装置のための制御情報であると決定されたとき、制御情報をカプセル化するために第２のカプセル化／カプセル化解除ユニット２１−２を制御するように構成されている第２の制御処理ユニット２１−５とをさらに含むことがあり、このとき、第２の無線周波数ユニット２１−１は、カプセル化された制御情報を端末装置に送信するようにさらに構成されている。
【００９７】
このようにして、カプセル化解除されたダウンリンクデータの具体的な内容に応じた処理のためのユニット、すなわち、第２の取得処理ユニット２１−３と、第２のコンフィギュレーション処理ユニット２１−４と、第２の制御処理ユニット２１−５とは、ダウンリンク通信モジュール２１に統合されることがあり、これらのユニットは、第２のカプセル化／カプセル化解除ユニット２１−２と共に１つのハードウェアに統合されることがあり、たとえば、ＭＣＵに統合されることがある。この場合、アップリンク通信モジュール２０は、カプセル化解除されたアップリンクデータの具体的な内容に応じた処理を実行することがあり、この処理は、具体的には、端末装置によって報告されたネットワーキング情報または状態情報と、ダウンリンクデータへの応答情報とに関する処理を含む。
【００９８】
さらに、図７を参照すると、第２の応答処理ユニット２１−６および第２の報告処理ユニット２１−７を含む、アップリンクデータの具体的な内容に応じた処理のための諸ユニットが、ダウンリンク通信モジュール２１に統合されることがあり、第２の応答処理ユニット２１−６は、カプセル化解除されたアップリンクデータがダウンリンクデータへの応答情報であると決定されたとき、応答情報をアップリンク通信モジュール２０に伝送するように構成され、アップリンク通信モジュール２０は、応答情報を送信し、また、第２の報告処理ユニット２１−７は、カプセル化解除されたアップリンクデータが端末装置によって報告された状態情報またはネットワーキング情報であると決定されたとき、状態情報またはネットワーキング情報を保存するために記憶ユニットを制御するように構成されている。
【００９９】
ダウンリンク通信モジュール２１は、内蔵フラッシュ、記憶ユニットおよびリソース決定ユニットなどの他のユニットを含むことがあり、記憶ユニットは、端末装置によって報告されたネットワーキング情報または状態情報と電気ゲートウェイのためのコンフィギュレーション情報とを保存することがあり、また、第２の無線周波数ユニット２１−１がアップリンクデータを受信した後、リソース決定ユニットは、ダウンリンク通信モジュール２１のリソース占有率を決定することがあり、リソース占有率がプリセット値を上回る場合、第２のカプセル化／カプセル化解除ユニット２１−２は、処理がカプセル化解除されたアップリンクデータの具体的な内容に応じて実行されるように、アップリンクデータをカプセル化解除し、アップリンクデータをアップリンク通信モジュール２０に伝送し、また、リソース占有率がプリセット値以下である場合、処理は、ダウンリンク通信モジュール２１によって実行されることに留意すべきである。
【０１００】
別の具体的な実装では、アップリンク通信モジュール２０は、以下の構造によって実装されることがあり、概略構成図は、以下を含む図８に示される。
【０１０１】
第１の応答処理ユニット２０−３が、カプセル化解除されたアップリンクデータがダウンリンクデータへの応答情報であると決定されたとき、応答情報をカプセル化するために第１のカプセル化／カプセル化解除ユニット２０−２を制御するように構成されている。
【０１０２】
第１の報告処理ユニット２０−４が、カプセル化解除されたアップリンクデータが端末装置によって報告された状態情報またはネットワーキング情報であると決定されたとき、状態情報またはネットワーキング情報を保存するために記憶ユニットを制御するように構成されている。
【０１０３】
第１のカプセル化／カプセル化解除ユニット２０−２が、応答情報をカプセル化するように構成されている。
【０１０４】
第１の無線周波数ユニット２０−１が、カプセル化された応答情報をアップリンクネットワーク要素に送信するように構成され、第１の無線周波数ユニット２０−１は、データの構造を送信または受信するように構成され、アンテナおよび集積チップ（ＩＣ）を含むことがある。
【０１０５】
このようにして、カプセル化解除されたアップリンクデータの具体的な内容に応じた処理のための諸ユニット、すなわち、第１の応答処理ユニット２０−３および第１の報告処理ユニット２０−４は、アップリンク通信モジュール２０に統合されることがあり、これらのユニットは、第１のカプセル化／カプセル化解除ユニット２０−２と共に１つのハードウェアに統合されることがあり、たとえば、ＭＣＵに統合されることがあり、この場合、処理は、カプセル化解除されたダウンリンクデータの具体的な内容に応じて、図６に示されたダウンリンク通信モジュール２１によって実行されることがある。別の場合、処理のための別のユニットも、ダウンリンクデータの具体的な内容に応じた処理のためのユニットなどのアップリンク通信モジュール２０に統合されることがある。
【０１０６】
アップリンク通信モジュール２０は、内蔵フラッシュおよび記憶ユニットなどの他のユニットをさらに含むことがあり、記憶ユニットは、端末装置によって報告されたネットワーキング情報または状態情報などを保存するように構成されることがあることに留意すべきである。
【０１０７】
本発明の一実施形態が、電気ゲートウェイの通信方法をさらに提供し、この通信方法は、主として、図１から図８のいずれかに示された電気ゲートウェイによって実行される方法であり、流れ図は、以下を含む図９に示される。
【０１０８】
ステップ１０１：電気ゲートウェイによって、アップリンクネットワーク要素によって送信されたダウンリンクデータを受信する。ダウンリンクデータが端末装置情報の取得であると決定されたとき、電気ゲートウェイは、ステップ１０２またはステップ１０３を実行することがある。
【０１０９】
電気ゲートウェイは、最初に、ダウンリンクデータをカプセル化解除する必要があり、次に、カプセル化解除されたダウンリンクデータが端末装置情報の取得であるかどうかを決定することを理解することができる。
【０１１０】
ステップ１０２：端末装置情報が電気ゲートウェイに保存されている場合、端末装置情報をアップリンクネットワーク要素に送信し、具体的には、電気ゲートウェイとアップリンクネットワーク要素との間の通信プロトコルを使用することにより端末装置情報をカプセル化し、端末装置情報をアップリンクネットワーク要素に送信する。
【０１１１】
ステップ１０３：端末装置情報が電気ゲートウェイに保存されていない場合、端末装置情報の取得を端末装置に送信し、具体的には、電気ゲートウェイと端末装置との間の通信プロトコルを使用することにより端末装置情報の取得をカプセル化し、端末装置情報の取得を端末装置に送信する。
【０１１２】
さらに、ステップ１０１からステップ１０３の実行に加えて、電気ゲートウェイは、カプセル化解除されたダウンリンクデータに以下の処理を実行することがあり、この処理は、カプセル化解除されたダウンリンクデータが端末装置のための制御情報であると決定されたとき、制御情報をカプセル化し、制御情報を端末装置に送信することと、カプセル化解除されたダウンリングデータが電気ゲートウェイのためのコンフィギュレーション情報であると決定されたとき、コンフィギュレーション情報に応じて電気ゲートウェイを構成することとを含む。さらに、電気ゲートウェイは、端末装置によって送信されたアップリンクデータをさらに受信し、アップリンクデータをカプセル化解除し、アップリンクデータの具体的な内容に応じてカプセル化解除されたアップリンクデータを処理することがあり、この処理は、具体的には、カプセル化解除されたアップリンクデータがダウンリンクデータへの応答情報であると決定されたとき、応答情報をカプセル化し、応答情報をアップリンクネットワーク要素に送信することと、カプセル化解除されたアップリンクデータが端末装置によって報告された状態情報またはネットワーキング情報であると決定されたとき、状態情報またはネットワーキング情報を保存することとを含む。
【０１１３】
方法の実施形態におけるゲートウェイの具体的な構造に関して、図１から図８と図１から図８の上記説明とが参照されてもよく、また方法の実施形態における電気ゲートウェイに関する詳細は記載されないことに留意すべきである。
【０１１４】
本発明の実施形態では、アップリンクネットワーク要素によって端末装置に送信されたダウンリンクデータを直接的に処理した後、電気ゲートウェイは、端末装置に伝送されるデータトラフィックを削減するために、処理結果、たとえば、端末装置情報をアップリンクネットワーク要素に返送することがあり、その結果、電気ゲートウェイは、制御ユニットを介してダウンリンクデータを制御することができ、それによって、端末装置とアップリンクネットワーク要素との間のデータ伝送を制御できることを理解することができる。
【０１１５】
その上、端末装置によって送信されたアップリンクデータを直接的に処理した後、電気ゲートウェイは、アップリンクネットワークに伝送されるデータトラフィックを削減するために、情報をアップリンクネットワーク要素に送信する必要がなしに、処理結果を保存すること、たとえば、端末装置によって報告されたネットワーキング情報または状態情報を保存することがあり、その結果、電気ゲートウェイは、アップリンクデータを制御することができ、それによって、端末装置とアップリンクネットワーク要素との間のデータ伝送を制御できる。
【０１１６】
当業者は、前述の実施形態における個々の方法のステップの全部または一部が、関連するハードウェアに指令するプログラムによって実施されてもよいことが分かる。プログラムは、コンピュータ読み取り可能な記憶媒体に保存されることがある。記憶媒体は、ＲＯＭ、ＲＯＭ、磁気ディスク、または光ディスクを含むことがある。
【０１１７】
上記は、本発明の実施形態によって提供された電気ゲートウェイと電気ゲートウェイの通信方法とを詳細に説明し、具体的な例が本発明の原理および実施を説明するために本明細書において適用され、実施形態の上記例示は、単に本発明の方法およびコアアイデアを理解するためだけに役立ち、一方では、当業者にとって、本発明のアイデアに従って具体的な実施およびアプリケーション範囲に関して変形を行うことが可能であり、端的に言えば、本明細書の内容は、本発明の限定として理解されるべきではない。
【図１】
2013538494.tif 000003
【図２】
2013538494.tif 000004
【図３】
2013538494.tif 000005
【図４】
2013538494.tif 000006
【図５】
2013538494.tif 000007
【図６】
2013538494.tif 000008
【図７】
2013538494.tif 000009
【図８】
2013538494.tif 000010
【図９】
2013538494.tif 000011
【手続補正書】
【提出日】平成25年2月1日(2013.2.1)
【手続補正１】
【補正対象書類名】明細書
【補正対象項目名】００２１
【補正方法】変更
【補正の内容】
【００２１】
理解されるべきこととして、アップリンク通信モジュール１０がダウンリンクデータを受信した後、電気ゲートウェイが、最初にダウンリンクデータをカプセル化解除する必要があり、カプセル化解除されたダウンリンクデータが端末装置情報であるかどうかを決定し、ここで、電気ゲートウェイによるダウンリンクデータのカプセル化解除は、アップリンク通信モジュール１０または制御ユニット１２によって実行されてもよい。具体的な実施形態では、以下の通りである。
【手続補正２】
【補正対象書類名】明細書
【補正対象項目名】００６０
【補正方法】変更
【補正の内容】
【００６０】
アップリンク通信モジュール２０は、ダウンリンクデータを受信した後、アップリンク通信モジュール２０の現在リソース占有率がプリセット値を上回る場合、端末装置情報の取得と、電気ゲートウェイのためのコンフィギュレーション情報と、端末装置のための制御情報とを含むダウンリンクデータを処理するためにダウンリンク通信モジュール２１を制御するように構成されている。
【手続補正３】
【補正対象書類名】明細書
【補正対象項目名】００９０
【補正方法】変更
【補正の内容】
【００９０】
実施形態の電気ゲートウェイでは、ダウンリンクデータおよびアップリンクデータの具体的な内容に応じた処理の機能は、アップリンク通信モジュール２０に統合されることがあり、別の具体的な実施形態では、ダウンリンクデータの具体的な内容に応じた処理は、ダウンリンク通信モジュール２１に統合されることがあり、一方、アップリンクデータの具体的な内容に応じた処理は、アップリンク通信モジュール２０に統合されることがある。この実施形態では、ダウンリンクデータの処理に加えて、ダウンリンク通信モジュール２１は、端末装置によって送信されたアップリンクデータを受信し、アップリンクデータをアップリンク通信モジュール２０に伝送するようにさらに構成され、一方、上記端末装置情報の取得、電気ゲートウェイのためのコンフィギュレーション情報、および端末装置のための制御情報の処理に加えて、アップリンク通信モジュール２０は、アップリンクデータの具体的な内容に応じた処理をさらに実行することがあり、この処理は、具体的には、アップリンクデータがダウンリンクデータへの応答情報であると決定されたとき、応答情報を送信し、すなわち、応答情報をカプセル化し、応答情報をアップリンクネットワーク要素に送信し、また、アップリンク通信モジュール２０がアップリンクデータは端末装置によって報告された状態情報またはネットワーキング情報であると決定したとき、状態情報またはネットワーキング情報を保存することを含む。
【手続補正４】
【補正対象書類名】特許請求の範囲
【補正対象項目名】全文
【補正方法】変更
【補正の内容】
【特許請求の範囲】
【請求項１】
アップリンク通信モジュールと、ダウンリンク通信モジュールと、制御ユニットとを備える電気ゲートウェイであって、
前記アップリンク通信モジュールは、アップリンクネットワーク要素と通信するように構成され、
前記ダウンリンク通信モジュールは、端末装置と通信するように構成され、
前記制御ユニットは、前記アップリンク通信モジュールと前記ダウンリンク通信モジュールとを接続し、前記制御ユニットは、前記アップリンクネットワーク要素によって送信されたダウンリンクデータが端末装置情報の取得であると決定されたとき、前記端末装置情報が前記電気ゲートウェイに保存されている場合、前記端末装置情報を前記アップリンク通信モジュールに伝送し、前記端末装置情報が前記電気ゲートウェイに保存されていない場合、前記端末装置情報の取得を前記ダウンリンク通信モジュールに伝送するように構成されている、電気ゲートウェイ。
【請求項２】
前記制御ユニットは、前記端末装置情報が前記電気ゲートウェイに保存されている場合、前記端末装置情報を前記アップリンク通信モジュールに伝送するように構成され、
前記制御ユニットは、前記端末装置情報が前記電気ゲートウェイに保存されている場合、前記端末装置情報をカプセル化し、前記アップリンク通信モジュールに伝送するように構成されているか、または、
前記制御ユニットは、前記端末装置情報が前記電気ゲートウェイに保存されている場合、前記端末装置情報を前記アップリンク通信モジュールに伝送するように構成され、前記アップリンク通信モジュールによって、前記端末装置情報をカプセル化する、請求項１に記載の電気ゲートウェイ。
【請求項３】
前記制御ユニットは、前記端末装置情報が前記電気ゲートウェイに保存されていない場合、前記端末装置情報の取得を前記ダウンリンク通信モジュールに伝送するように構成され、
前記制御ユニットは、前記端末装置情報が前記電気ゲートウェイに保存されていない場合、前記端末装置情報の取得をカプセル化し、前記ダウンリンク通信モジュールに伝送するように構成されているか、または、
前記制御ユニットは、前記端末装置情報が前記電気ゲートウェイに保存されていない場合、前記端末装置情報の取得を前記ダウン通信モジュールに伝送するように構成され、前記ダウンリンク通信モジュールによって、前記端末装置情報の取得をカプセル化する、請求項１に記載の電気ゲートウェイ。
【請求項４】
前記端末装置は、電気メータであり、前記端末装置情報は、前記電気メータの読みである、請求項１から３の何れか１項に記載の電気ゲートウェイ。
【請求項５】
前記制御ユニットは、前記ダウンリンクデータが前記端末装置のための制御情報であると決定されたとき、前記ダウンリンク通信モジュールを介して前記制御情報を前記端末装置に送信するようにさらに構成されているか、または、
前記制御ユニットは、前記ダウンリンクデータが前記電気ゲートウェイについてのコンフィギュレーション情報であると決定されたとき、前記コンフィギュレーション情報に応じて前記電気ゲートウェイに関する構成を実行するようにさらに構成されている、請求項１から４の何れか１項に記載の電気ゲートウェイ。
【請求項６】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項１から５のいずれか１項に記載の電気ゲートウェイ。
【請求項７】
アップリンク通信モジュールとダウンリンク通信モジュールとを備え、前記アップリンク通信モジュールが前記ダウンリンク通信モジュールに接続されている電気ゲートウェイであって、
前記ダウンリンク通信モジュールは、端末装置と通信するように構成され、
前記アップリンク通信モジュールは、アップリンクネットワーク要素によって送信されたダウンリンクデータが端末装置情報の取得であると決定されたとき、前記端末装置情報が前記電気ゲートウェイに保存されている場合、前記端末装置情報を送信し、前記端末装置情報が前記電気ゲートウェイに保存されていない場合、前記端末装置情報の取得を前記ダウンリンク通信モジュールに伝送するように構成されている、電気ゲートウェイ。
【請求項８】
前記端末装置は、電気メータであり、前記端末装置情報は、前記電気メータの読みである、請求項７に記載の電気ゲートウェイ。
【請求項９】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項７又は８に記載の電気ゲートウェイ。
【請求項１０】
アップリンク通信モジュールとダウンリンク通信モジュールとを備え、前記アップリンク通信モジュールが前記ダウンリンク通信モジュールに接続されている電気ゲートウェイであって、
前記アップリンク通信モジュールは、アップリンクネットワーク要素と通信するように構成され、
前記ダウンリンク通信モジュールは、前記アップリンクネットワーク要素によって送信されたダウンリンクデータが端末装置情報の取得であると決定されたとき、前記端末装置情報が前記電気ゲートウェイに保存されている場合、前記端末装置情報を前記アップリンク通信モジュールに伝送し、前記端末装置情報が前記電気ゲートウェイに保存されていない場合、前記端末装置情報の取得を送信するように構成されている、電気ゲートウェイ。
【請求項１１】
前記端末装置は、電気メータであり、前記端末装置情報は、前記電気メータの読みである、請求項１０に記載の電気ゲートウェイ。
【請求項１２】
前記アップリンクネットワーク要素は、サーバまたは１次局であり、前記アップリンク通信モジュールは、ワイヤレス通信モジュールであり、前記ダウンリンク通信モジュールは、ＺｉｇＢｅｅ通信モジュールまたはワイファイ通信モジュールである、請求項１０又は１１に記載の電気ゲートウェイ。
【請求項１３】
アップリンクネットワーク要素によって送信されたダウンリンクデータを受信するステップと、
前記ダウンリンクデータが端末装置情報の取得であると決定したとき、前記端末装置情報が電気ゲートウェイに保存されている場合、前記端末装置情報を前記アップリンクネットワーク要素に伝送し、前記端末装置情報が前記電気ゲートウェイに保存されていない場合、前記端末装置情報の取得を端末装置に伝送するステップと
を備える、電気ゲートウェイの通信方法。
【請求項１４】
前記ダウンリンクデータが前記端末装置情報の取得であると決定する前記ステップは、
前記ダウンリンクデータをカプセル化解除するステップと、
前記カプセル化解除されたダウンリンクデータに応じて前記ダウンリンクデータが前記端末装置情報の取得であるかどうかを決定するステップと
を備える、請求項１３に記載の電気ゲートウェイの通信方法。
【請求項１５】
前記端末装置情報が前記電気ゲートウェイに保存されている場合、前記端末装置情報を前記アップリンクネットワーク要素に伝送する前記ステップは、具体的には、
前記端末装置情報が前記電気ゲートウェイに保存されている場合、前記端末装置情報をカプセル化し、前記アップリンクネットワーク要素に伝送するステップである、請求項１３または１４に記載の電気ゲートウェイの通信方法。
【請求項１６】
前記端末装置情報が前記電気ゲートウェイに保存されていない場合、前記端末装置情報の取得を前記端末装置に伝送する前記ステップは、具体的には、
前記端末装置情報が前記電気ゲートウェイに保存されていない場合、前記端末装置情報の取得をカプセル化し、前記端末装置に送信するステップである、請求項１３から１５の何れか１項に記載の電気ゲートウェイの通信方法。
【請求項１７】
前記端末装置情報の取得は、具体的には、電気メータの読みの取得である、請求項１３から１６のいずれか１項に記載の電気ゲートウェイの通信方法。
【国際調査報告】
2013538494.tif 000012
2013538494.tif 000013
2013538494.tif 000014
2013538494.tif 000015